(57)【要約】【課題】視聴者が、他の複数のチャネルに切り換えながら所望の番組を捜す場合であっても、元の番組を簡便な方法によって継続視聴することができる放送受信装置を提供する。【解決手段】本発明に係る放送受信装置は、放送信号を受信する受信部と、放送信号に含まれる第１および第２の放送チャネルデータの中から放送チャネルデータを指定する指定部と、第１の放送チャネルデータが指定されている状態から第２の放送チャネルデータが指定された状態に移行した場合、第１の放送チャネルデータを記憶する記憶部と、第２の放送チャネルデータへ切替えた後の経過時間と所定の時間とを比較し経過時間が所定の時間よりも短い場合に、第２の放送チャネルデータが指定されている状態から第１の放送チャネルデータが指定された状態に移行すると、記憶部に記憶されている第１の放送チャネルデータを再生する制御部と、具備することを特徴とする。【選択図】  図２
2006019955.tif 000002
【特許請求の範囲】
【請求項１】
放送信号を受信する受信部と、
前記受信部によって受信された放送信号に含まれる第１の放送チャネルデータおよび第２の放送チャネルデータの中から放送チャネルデータを指定する指定部と、
前記第１の放送チャネルデータが指定されている状態から前記指定部によって前記第２の放送チャネルデータが指定された状態に移行した場合、前記第１の放送チャネルデータを記憶する記憶部と、
前記第２の放送チャネルデータへ切替えた後の経過時間と所定の時間とを比較し前記経過時間が前記所定の時間よりも短い場合に、前記第２の放送チャネルデータが指定されている状態から前記指定部によって前記第１の放送チャネルデータが指定された状態に移行すると、前記記憶部に記憶されている第１の放送チャネルデータを再生する制御部と、
を具備することを特徴とする放送受信装置。
【請求項２】
前記受信部は、前記指定部によって前記第１の放送チャネルデータが指定されている状態から前記指定部によって前記第２の放送チャネルデータが指定された場合、前記第１の放送チャネルデータを受信する第１の受信部と前記第２の放送チャネルデータを受信する第２の受信部とから構成されることを特徴とする請求項１記載の放送受信装置。
【請求項３】
前記第１の放送チャネルデータを再生している状態において、前記指定部によって前記第１の放送チャネルデータが指定されている状態から前記指定部によって前記第２の放送チャネルが指定された場合、前記記憶部は前記第１の放送チャネルデータの記憶を停止するとともに前記制御部は前記第１の放送チャネルの再生を停止することを特徴とする請求項１に記載の放送受信装置。
【請求項４】
前記指定部は、前記記憶部への記憶の許可をさらに指定し、
前記記憶部は、前記指定部によって前記記憶の許可が指定された後に、前記第１の放送チャネルデータが指定されている状態から前記指定部によって前記第２の放送チャネルデータが指定された状態に移行した場合、前記第１の放送チャネルデータを記憶することを特徴とする請求項１に記載の放送受信装置。
【請求項５】
前記指定部は、前記記憶部への記憶の許可および停止をさらに指定し、
前記記憶部は、前記指定部によって前記記憶の許可が指定された後に、前記第１の放送チャネルデータが指定されている状態から前記指定部によって前記第２の放送チャネルデータが指定された状態に移行した場合、前記第１の放送チャネルデータを記憶し、前記指定部によって前記記憶の停止が指定された場合には前記第１の放送チャネルデータの記憶を停止することを特徴とする請求項１に記載の放送受信装置。
【請求項６】
前記指定部は、前記記憶部への記憶の許可および停止をさらに指定し、
前記記憶部は、前記指定部によって前記記憶の許可が指定された後に、前記第１の放送チャネルデータが指定されている状態から前記指定部によって前記第２の放送チャネルデータが指定された状態に移行した場合、前記第１の放送チャネルデータを記憶し、
前記第１の放送チャネルデータを再生している状態において、前記指定部によって前記記憶の停止が指定された場合、前記記憶部は前記第１の放送チャネルデータの記憶を停止するとともに前記制御部は前記第１の放送チャネルの再生を停止することを特徴とする請求項１に記載の放送受信装置。
【請求項７】
指定部から第１の放送チャネルデータを指定して放送信号を受信し、
前記第１の放送チャネルデータが指定されている状態から前記指定部によって第２の放送チャネルデータが指定された状態に移行した場合、前記第１の放送チャネルデータを記憶部に記憶し、
前記第２の放送チャネルデータへ切替えた後の経過時間と所定の時間とを比較し前記経過時間が前記所定の時間よりも短い場合に、前記第２の放送チャネルデータが指定されている状態から前記指定部によって前記第１の放送チャネルデータが指定された状態に移行すると、前記記憶部に記憶されている第１の放送チャネルデータを再生する、
ことを特徴とする放送受信方法。
【請求項８】
前記指定部によって前記第１の放送チャネルデータが指定されている状態から前記指定部によって前記第２の放送チャネルデータが指定された場合、前記第１の放送チャネルデータを第１の受信部で受信し、前記第２の放送チャネルデータを第２の受信部で受信することを特徴とする請求項７に記載の放送受信方法。
【請求項９】
前記第１の放送チャネルデータを再生している状態において、前記指定部によって前記第１の放送チャネルデータが指定されている状態から前記指定部によって前記第２の放送チャネルが指定された場合、前記第１の放送チャネルデータの記憶を停止するとともに前記第１の放送チャネルの再生を停止することを特徴とする請求項７に記載の放送受信方法。
【請求項１０】
前記指定部から前記記憶部への記憶の許可をさらに指定し、
前記指定部によって前記記憶の許可が指定された後に、前記第１の放送チャネルデータが指定されている状態から前記指定部によって前記第２の放送チャネルデータが指定された状態に移行した場合、前記第１の放送チャネルデータを記憶することを特徴とする請求項７に記載の放送受信方法。
【請求項１１】
前記指定部から前記記憶部への記憶の許可および停止をさらに指定し、
前記指定部によって前記記憶の許可が指定された後に、前記第１の放送チャネルデータが指定されている状態から前記指定部によって前記第２の放送チャネルデータが指定された状態に移行した場合、前記第１の放送チャネルデータを記憶し、前記指定部から前記記憶の停止が指定された場合には前記第１の放送チャネルデータの記憶を停止することを特徴とする請求項７に記載の放送受信方法。
【請求項１２】
前記指定部から前記記憶部への記憶の許可および停止をさらに指定し、
前記記憶部は、前記指定部によって前記記憶の許可が指定された後に前記第１の放送チャネルデータが指定されている状態から前記指定部によって前記第２の放送チャネルデータが指定された状態に移行した場合、前記第１の放送チャネルデータを記憶し、
前記第１の放送チャネルデータを再生している状態において、前記指定部によって前記記憶の停止が指定された場合、前記第１の放送チャネルデータの記憶を停止するとともに前記第１の放送チャネルの再生を停止することを特徴とする請求項７に記載の放送受信方法。
【発明の詳細な説明】
【技術分野】
【０００１】
本発明は、各種放送を受信する放送受信技術に係り、特に受信信号を記憶かつ再生することができる放送受信装置およびその放送受信方法に関する。
【背景技術】
【０００２】
近年、ケーブルテレビや衛星テレビ放送或いは地上波テレビ放送等においてデジタル化が進められている。
【０００３】
これらのデジタル化された各種放送では、従来のアナログ方式の放送に比べてゴースト等の影響を受けることがなく安定かつ高品質な画像を提供することが可能となっている。
【０００４】
一方、各種放送のデジタル化とともに、ケーブルテレビや衛星テレビ放送或いは地上波テレビ放送等といった複数のメディアを一台のテレビ受像器で受信することも一般化してきている。この結果、一台のテレビ受像器で受信可能な番組数、即ちチャネル数は、従来に比べて格段に増加している。
【０００５】
また、単一のメディア例えば衛星テレビ放送ひとつをとってみても、複数の放送衛星からの放送電波を受信可能である。また、衛星放送の場合は地上波放送に比べて広い周波数帯域が確保されているため、放送衛星からは同時により多数のチャネル数を送信することが可能となっている。この結果一台のテレビ受像器で受信可能なチャネル数はさらに増加してきている。
【０００６】
チャネル数の増加は視聴者に対して番組選択の幅を広げ、テレビ放送利用の多様性を提供するものである。
【０００７】
一方、視聴者は選択可能な多数のチャネルの中から視聴したいチャネルを選択することになる。このため、視聴者が多数のチャネルの中から容易に所望のチャネルを選択することができるようなチャネル選択の利便性を向上させる技術がテレビ受像器に求められている。
【０００８】
例えば、特許文献１には、ザッピング或いはマルチ画面表示によって現在放送されている総ての番組の内容確認が素早くできるテレビ受像器に関する技術が開示されている。
【０００９】
ここで、ザッピングとは、視聴者が次々にチャネルを切り換えて番組の内容を確認する行為のことをいう。即ち、特定のチャネルを視聴している視聴者が、リモートコントローラ等を用いて他のチャネルに素早く切り換えながら所望の番組が放送されているか否かを短時間で確認する行為のことをザッピングという。
【００１０】
特許文献１が開示する技術は、第１のチューナでひとつのチャネルの番組を視聴しつつ、第２のチューナを用いて予め指定された複数のチャネルを順次切り換えて受信し、これら複数のチャネルの番組の画面等を内蔵されているメモリに記憶させるものである。その後、メモリに記憶された複数のチャネルの番組をテレビモニタ画面に順次切り換えながら、或いはマルチ画面表示によって表示させるものである。
【特許文献１】特開２００３−８７６６８号公報
【発明の開示】
【発明が解決しようとする課題】
【００１１】
特許文献１が開示する技術によれば、第２のチューナで複数のチャネルの番組を自動的に順次所定時間毎に切り換えながら画像をメモリに記憶する方式であるため、視聴者は第２のチャネルが切り換えている間であっても、第１のチューナによって特定の番組を継続して視聴できる。
【００１２】
また、特許文献１のひとつの実施例によれば、複数のチャネルの番組の中から所望のチャネルの番組を選択する際には、メモリに記憶された複数の画像データが所定時間毎に順次自動的に切り換えられながらテレビモニタ画面に表示されるため、番組内容の確認が素早くできるとしている。
【００１３】
また、特許文献１の他の実施例によれば、メモリに記憶された複数の画像データがマルチ画面表示によってテレビモニタ画面に表示されるため同様の効果が得られるとしている。
【００１４】
ところで、一般に、視聴者がチャネルを切り換えながら所望の番組を捜そうとする時には必ずしも一定時間毎にチャネルを切り換えていくわけではない。チャネルを切り換えた後番組の内容を確認する。番組の内容によっては短時間で自らが所望する番組か否かを判断できるものもある。逆に番組の内容によっては短時間では判断できず、さらに引き続き一定時間その番組を継続視聴した後に初めて所望の番組か否かを判断できるものもある。
【００１５】
即ち、番組の内容如何によって所望の番組か否かを判断できる時間は異なる。従って、特許文献１が開示する技術のように予め定められた所定時間毎に画一的に順次切り換えて画像をメモリに記憶する方式では、所望の番組か否かを適切かつ確実に判断できない場合が生じるおそれがある。
【００１６】
このため、所望の番組か否かをより適切にかつ確実に判断するためには、視聴者自らが番組の内容を判断しながら例えばリモートコントローラを用いて手動でチャネルを切り換えていくという従来の方法が適している。
【００１７】
一方、視聴者が手動でチャネルを切り換えていく方法によって所望の番組を捜していく場合、特許文献１が開示するようなチャネルを自動的に切り換えていく方法に比べると所望の番組を捜す時間が長くかかることが予想される。
【００１８】
他方、例えばＡチャネルを視聴していた視聴者が、他の所望の番組を捜すために順次チャネルを切り換えていったものの、結局は所望の番組が無かったために元のＡチャネルに戻してＡチャネルの番組を視聴するというケースにはしばしば遭遇する。
【００１９】
このような場合、視聴したＡチャネルの番組の内容に空白期間が生じてしまうことになる。所望の番組をより適切かつ確実に捜そうとすればする程この空白期間は長くなると予想される。
【００２０】
本発明は上記事情に鑑みてなされたもので、特定のチャネルの番組を視聴している視聴者が、他の複数のチャネルに切り換えながら所望の番組を捜す場合であっても、前記特定のチャネルの番組を簡便な方法によって継続視聴することができる放送受信装置および放送受信方法を提供することを目的とする。
【課題を解決するための手段】
【００２１】
本発明に係る放送受信装置は、上記目的を達成するため、請求項１に記載したように、放送信号を受信する受信部と、受信部によって受信された放送信号に含まれる第１の放送チャネルデータおよび第２の放送チャネルデータの中から放送チャネルデータを指定する指定部と、第１の放送チャネルデータが指定されている状態から指定部によって前記第２の放送チャネルデータが指定された状態に移行した場合、第１の放送チャネルデータを記憶する記憶部と、第２の放送チャネルデータへ切替えた後の経過時間と所定の時間とを比較し前記経過時間が前記所定の時間よりも短い場合に、第２の放送チャネルデータが指定されている状態から指定部によって前記第１の放送チャネルデータが指定された状態に移行すると、記憶部に記憶されている第１の放送チャネルデータを再生する制御部と、を具備することを特徴とする。
【００２２】
また本発明に係る放送受信方法は、請求項７に記載したように、指定部から第１の放送チャネルデータを指定して放送信号を受信し、第１の放送チャネルデータが指定されている状態から指定部によって第２の放送チャネルデータが指定された状態に移行した場合、第１の放送チャネルデータを記憶部に記憶し、第２の放送チャネルデータへ切替えた後の経過時間と所定の時間とを比較し前記経過時間が前記所定の時間よりも短い場合に、第２の放送チャネルデータが指定されている状態から前記指定部によって前記第１の放送チャネルデータが指定された状態に移行すると、記憶部に記憶されている第１の放送チャネルデータを再生することを特徴とする。
【発明の効果】
【００２３】
本発明に係る放送受信装置および放送受信方法によれば、特定のチャネルの番組を視聴している視聴者が、他の複数のチャネルに切り換えながら所望の番組を捜す場合であっても、前記特定のチャネルの番組を簡便な方法によって継続視聴することができる。
【発明を実施するための最良の形態】
【００２４】
本発明に係る放送受信装置および放送受信方法の実施の形態について添付図面を参照して説明する。
【００２５】
（１）放送受信装置１の概要
図１は、放送受信装置１の実施形態の一例を示す外観図である。
【００２６】
放送受信装置１は、外部に設けられたアンテナ（図示せず。）で受信した放送信号を受信・復調し、視聴可能な映像信号および音声信号に変換した後に例えば外部に設けられた映像音声モニタ部８に出力するものである。
【００２７】
また、放送受信装置１は、受信した放送信号を記憶する１種或いは複数種の記憶媒体を有しており、記憶（録画・録音）した放送信号を再生し映像音声モニタ部８に出力することもできる。
【００２８】
放送受信装置１の各構成品は、図１に示したように扁平な略ボックス形状をなす本体ケース２に収納されている。本体ケース２の前方上面の左右の部位には、視聴者が各種操作を行うための複数のボタンからなる指定部３が配置されている。
【００２９】
視聴者は指定部３の操作によって、例えば電源の入切、視聴する放送チャネルの指定、放送信号を記憶させる記憶媒体の種別指定、記憶の開始・停止の指示、早送り等の記憶媒体の再生に関する制御等を行うことができる。
【００３０】
また指定部３は、図１に示したように遠隔操作が可能な指定部３（リモートコントローラ）３によって構成することもできる。
【００３１】
放送受信装置１が備える記憶媒体としては、例えばハードディスク（以下ＨＤという。）やＤＶＤ（Ｄｉｇｉｔａｌ  Ｖｅｒｓａｔｉｌｅ  Ｄｉｓｋ）等がある。放送受信装置１はこれらの記憶媒体を１種或いは複数種駆動可能な記憶部２６を図２に示すように内蔵している。
【００３２】
本体ケース２の前面中央部には、ＤＶＤを装着するための開閉可能なＤＶＤトレイ４が設けられている。
【００３３】
また、図１において本体ケース２の前面右部には、表示部５が設けられている。表示部５には、選択された放送チャネルの番号、記憶媒体の種別、記憶媒体の再生状況等の各種情報が表示される。
【００３４】
なお、放送受信装置１の実施形態によっては、図１に示した映像音声モニタ部８を放送受信装置１の構成に含めた形態としてもよい。この際、放送受信装置１と映像音声モニタ部８とを一体的に形成した構成としてもよい。
【００３５】
（２）放送受信装置１の構成
図２は、放送受信装置１の第１の実施形態に係るシステム構成を示すブロック図である。
【００３６】
放送受信装置１の入力端子２０は外部に設けられたアンテナ部２９に接続されており、アンテナ部２９で受信した放送信号を入力する。また放送受信装置１の出力端子２２は外部に設けられた映像音声モニタ部８に接続されており、視聴者は映像音声モニタ部８によって映像および音声を視聴することができる。
【００３７】
放送受信装置１は、入力端子２０から入力された放送信号を受信し、指定部３から指定された放送チャネルの信号を選択する受信部２１を有する。受信部２１は並列的に設けられる第１の受信部２３と第２の受信部２５とから構成される。第１の受信部２３と第２の受信部２５はそれぞれ独立に放送チャネルの信号を選択することができる。
【００３８】
第２の受信部２５の出力は切換部２４の第１入力端子２４ａと接続される。また、第１の受信部２３の出力は、選択された放送チャネルの信号を記憶する記憶部２６に接続される。
【００３９】
記憶部２６の出力、即ち再生信号は切換部２４の第２入力端子２４ｂに接続される。さらに、切換部２４によって切り換えられた切換部２４の出力は映像音声出力部２７に接続される。
【００４０】
映像音声出力部２７の出力は、出力端子２２を介して映像音声モニタ部８に接続される。
【００４１】
また、放送受信装置１は、視聴者が各種操作を行う指定部３、指定部３からの指定を受けて放送チャネルの選択や記憶部２６の制御等を行う他、放送受信装置１の動作状態を識別する制御部２８を備える。
【００４２】
指定部３は制御部２８と接続される。指定部３がリモートコントローラのように遠隔操作を行う場合は、指定部３は赤外線や電波等の伝送媒体を介して制御部２８と接続される。
【００４３】
制御部２８は、第１の受信部２３、第２の受信部２５、記憶部２６、切換部２４等に対して各種の制御信号を送信するためにこれらの構成品と接続される。
【００４４】
（３）放送受信装置１の基本動作
図２のブロック図を用いて放送受信装置１の基本動作について説明する。
【００４５】
アンテナ部２９で受信した放送信号は、放送受信装置１の備える入力端子２０を介して第２の受信部２５に入力される。またアンテナ部２９で受信した放送信号は同様に入力端子２０を介して第１の受信部２３にも並列的に入力される。
【００４６】
放送受信装置１に入力される放送信号は、アンテナ部２９からの入力に限定されない。例えばケーブルテレビ放送のような場合においては有線ケーブルから直接放送受信装置１の入力端子２０を介して第１の受信部２３および第２の受信部２５に放送信号が入力される。
【００４７】
第１の受信部２３および第２の受信部２５に入力される放送信号は、複数の放送チャネルを含む信号から構成されている。
【００４８】
第１の受信部２３および第２の受信部２５は、この複数の放送チャネルを含む放送信号の中から指定されたひとつの放送チャネルを選択する。
【００４９】
第１および第２の受信部２３，２５に入力される放送信号は、放送メディアの種別に依存して種々の形態をとりうるが、第１および第２の受信部２３，２５の機能はいずれか特定の放送メディアに限定するものではない。第１および第２の受信部２３，２５の機能は、放送メディアの種別を問わず、複数の放送チャネルを含む放送信号の中から指定されたひとつの放送チャネルを選択するものである。
【００５０】
例えば放送メディアが地上アナログテレビ放送の場合には、第１および第２の受信部２３，２５は、ＶＨＦ或いはＵＨＦ帯の放送信号を所定の中間周波数帯に周波数変換し、チューナと呼ばれる周波数選択回路によって指定された放送チャネルの受信信号を選択する。
【００５１】
さらに、第１および第２の受信部２３，２５は、選択された放送チャネルの受信信号をベースバンド帯の信号に変換した後にデジタル信号に変換して出力するものである。
【００５２】
第１および第２の受信部２３，２５の出力形態はアナログ信号の形態でも本発明は実施可能であるが、後述するタイムシフト再生機能の実現容易性の点においてデジタル信号の形態が好ましい。
【００５３】
従って、放送受信装置１がアナログ放送に対応している場合には、第１および第２の受信部２３，２５はＡ／Ｄ変換機能を含んだ構成となる。
【００５４】
さらに、記憶部２６に対する記憶時間（録画時間）の点からデジタル化された信号に対して圧縮符号化することが好ましい。圧縮符号化の方式としては、例えばＭＰＥＧ２方式等を用いる。なお、第２の受信部２５の出力は記憶部２６に記憶されないため必ずしも圧縮符号化は必要ではないが、後続する映像音声出力部２７等の処理の整合性の点から、第２の受信部２５と第１の受信部２３との処理内容は共通化されていることが好ましい。
【００５５】
また、放送メディアが例えば衛星放送の場合には放送周波数帯は地上放送と異なるが、第１および第２の受信部２３，２５において衛星放送の周波数帯に適合したものとすればよい。
【００５６】
さらに、放送メディアがデジタル放送の場合には、放送チャネルの選択は周波数による選択だけでなく放送データに含まれるチャネル識別情報に基づいて選択する形態が含まれるが、この場合においても第１および第２の受信部２３，２５は、複数の放送チャネルの中から指定された放送チャネルを選択する機能を有するものである。
【００５７】
また、放送受信装置１が複数の放送メディアを受信可能な場合においては、指定部３を介して視聴者が選択した放送メディアの種別に基づいて、制御部２８で適宜の制御信号を生成し、第１および第２の受信部２３，２５に対して指定した放送チャネルを選択させればよい。
【００５８】
第２の受信部２５で選択された放送チャネルの受信信号は、切換部２４の第１入力端子２４ａに入力される。
【００５９】
一方、第１の受信部２３は、制御部２８からの指定により第２の受信部２５とは異なる放送チャネルの受信信号を選択し、記憶部２６に対して出力する。
【００６０】
記憶部２６は、記憶媒体として例えばハードディスクを用いた不揮発性の記憶装置によって構成される。この他、記憶媒体としては読み出し書き込み可能なＤＶＤであってもよい。
【００６１】
記憶部２６の記憶および再生に関する制御は制御部２８から行われる。記憶に関する制御には、記憶開始（録画開始）、記憶停止（録画停止）等がある。また再生に関する制御には、再生開始、再生停止、再生一時停止、早送り、早戻し等がある。
【００６２】
また記憶部２６は、記憶中（録画中）に、記憶済（録画済）のデータを読み出すことができる。従って、放送受信装置１全体としては受信信号を記憶部２６に記憶させながらその一方で記憶した受信信号を時間をずらして再生することができる。この時間をずらした再生機能をタイムシフト再生という（追っかけ再生ともいう。）。
【００６３】
タイムシフト再生機能によって、例えば特定の放送チャネルの番組の記憶を開始した後に、放送されている番組の記憶を継続しつつ記憶を開始した頭の部分から番組を再生させて視聴することが可能となる。即ち、実際に放送されている番組の時間と視聴している番組の時間とをシフトさせて視聴することができる。
【００６４】
タイムシフト再生に関する制御も制御部２８からの制御信号によって制御される。
【００６５】
切換部２４は、第１入力端子２４ａおよび第２入力端子２４ｂに入力される２つの信号を制御部２８からの制御信号によって切り換えていずれかひとつの信号を出力するものである。
【００６６】
切換部２４によって、第２の受信部２５から出力される受信信号と、記憶部２６から出力される再生信号とのいずれかの信号が映像音声出力部２７に入力される。
【００６７】
映像音声出力部２７は、受信信号或いは再生信号を映像音声と音声信号とに分離し、圧縮符号化されている映像信号および音声信号に対して復号化処理を行った後、外部に設けられた映像音声モニタ部８に対して出力するものである。
【００６８】
また、映像音声モニタ部８がアナログ信号を入力する形態の場合は、さらに映像信号および音声信号に対してＤ／Ａ変換した後に出力する。
【００６９】
指定部３は、放送受信装置１の視聴者が、放送受信装置１に対して各種の操作を行うためのものである。指定部３は、例えば各種の操作ボタンを備えたいわゆるリモートコントローラである。指定部３による各種の操作内容は、放送受信装置１の制御部２８に伝送される。
【００７０】
指定部３の信号は、例えば赤外線によって放送受信装置１に伝送される。
【００７１】
なお、指定部３は、放送受信装置１の本体ケース２に設けられた複数の操作ボタンから構成されてもよい。
【００７２】
制御部２８は、指定部３から受信した操作内容に基づいて放送受信装置１の各構成品に対して各種の制御を行う。
【００７３】
具体的には、第１および第２の受信部２３，２５に対して選択すべき放送チャネルを指定する。また、放送受信装置１が地上放送、衛星放送等の複数の放送メディアに対応している場合には、第１および第２の受信部２３，２５はこれら複数の放送メディアに対応した複数の復調手段を有している。この場合、制御部２８は第１および第２の受信部２３，２５に対して放送メディアの種別に対応した復調手段を選択するための制御を行う。
【００７４】
また、制御部２８は、記憶部２６に対して、記憶開始（録画開始）、記憶停止（録画停止）の制御を行う。再生に関しては、再生開始、再生停止、再生一時停止、早送り、早戻し等の他、タイムシフト再生の制御を行う。この他、記憶部２６に記憶された受信信号の全部或いは一部を消去するための制御も行う。制御部２８は、切換部２４に対して切り換え制御を行う。
【００７５】
制御部２８はさらに、視聴者が指定部３を操作することによって変化する放送受信装置１の内部状態を識別する機能を有する。
【００７６】
ここで、放送受信装置１の内部状態とは、標準視聴状態（Ｓ１）、捜索状態（Ｓ２）および再視聴状態（Ｓ３）の３つの内部状態のことをいう。
【００７７】
標準視聴状態（Ｓ１）とは、通常の視聴状態のことであり、視聴者が任意の放送チャネルを指定部３の操作によって選択し、その放送チャネルの番組を視聴している状態をいう。
【００７８】
捜索状態（Ｓ２）とは、標準視聴状態（Ｓ１）において特定の放送チャネルの番組を視聴している状態（第１の放送チャネルデータが指定されている状態）から他のひとつ或いは複数の放送チャネルへ切り換えて所望の番組を捜している状態（第２の放送チャネルデータが指定されている状態。第２の放送チャネルデータは切り換えられる複数の放送チャネルデータを含む。）をいう。視聴者が所望の番組を選択する場合、例えば新聞等の番組表を見て所望の番組を選択する他、リモートコントローラ等の指定部３を用いて放送チャネルを次々と切り換えながら実際に放送されている番組の内容を視聴することによって所望の番組を選択することがしばしばある。このように視聴者が放送チャネルを次々と切り換えながら所望の番組を捜す行為をザッピングと呼ぶ場合もある。従って、捜索状態（Ｓ２）とは、視聴者がザッピングをしている状態ということもできる。
【００７９】
捜索状態（Ｓ２）の終了には２通りのケースがある。
【００８０】
第１のケースは、視聴者が所望の番組を捜すことができなかったために結局は元々視聴していた特定の放送チャネルに戻すケースである。このケースでは、視聴者が元の特定の放送チャネルに戻した時点で捜索状態（Ｓ２）は終了する。
【００８１】
再視聴状態（Ｓ３）とは、捜索状態（Ｓ２）が終了し、元の特定の放送チャネルを再度視聴している状態をいう（第２の放送チャネルデータに切り換えられた後に再度第１の放送チャネルデータが指定された状態）。
【００８２】
従来の放送受信装置を用いた視聴では、ザッピングを行った場合、特定の放送チャネルを継続して視聴することはできず、捜索状態（Ｓ２）の時間に相当する期間の空白期間が生じていた。
【００８３】
捜索状態（Ｓ２）が終了する第２のケースは、放送チャネルを切り換えて番組を捜した結果、所望の番組が見つかったため、切り換え後のその所望の番組を継続して視聴するケースである。
【００８４】
第２のケースによって捜索状態（Ｓ２）が終了した場合、放送受信装置１の内部状態は捜索状態（Ｓ２）から標準視聴状態（Ｓ１）に戻ることになる。
【００８５】
制御部２８は、上記の標準視聴状態（Ｓ１）、捜索状態（Ｓ２）および再視聴状態（Ｓ３）の３つの内部状態を識別するとともに、それぞれの内部状態への移行タイミングを検出する。
【００８６】
（４）各内部状態の識別方法と処理内容
図３は、放送受信装置１の各内部状態における処理の流れを示したフローチャートである。図３の説明においては、放送チャネルは単にチャネルと、また第１および第２の受信部２３，２５はそれぞれＴｕ．１、Ｔｕ．２と略するものとする。
【００８７】
まず、放送受信装置１の電源が投入された段階では放送受信装置１の制御部２８は、内部状態を標準視聴状態（Ｓ１）に設定する。
【００８８】
標準視聴状態（Ｓ１）、即ち通常の視聴状態では、視聴者は指定部３の操作によって任意のチャネルＸを設定する（ステップＳＴ１）。
【００８９】
標準視聴状態（Ｓ１）においては、Ｔｕ．２は、視聴者が設定したチャネルＸに従ってチャネルＸを選択し、また切換部２４は、Ｔｕ．２の受信信号を選択するように切り換えられる。この結果、視聴者はチャネルＸの番組を視聴できる（ステップＳＴ２）。
【００９０】
なお、標準視聴状態（Ｓ１）においては、Ｔｕ．１はいずれのチャネルを選択していてもよい。
【００９１】
次に放送受信装置１の制御部２８は、指定部３によって「ザッピングモード」が設定されたか否かを判断する（ステップＳＴ３）。「ザッピングモード」が設定されていない場合は、標準視聴状態（Ｓ１）を維持する（ステップＳＴ３のＮｏ）。
【００９２】
なお、指定部３による「ザッピングモード」の設定により、記憶部２６に対する受信信号の記憶の許可を指定することができる。
【００９３】
「ザッピングモード」が設定された場合（ステップＳＴ３のＹｅｓ）、制御部２８は「ザッピングモード」が設定された時に指定部３によって指定されていたチャネルＸをチャネルＡとして制御部２８の内部に登録する（ステップＳＴ４）。なお、チャネルＡの受信信号を第１の放送チャネルデータという。
【００９４】
制御部２８は、その後指定部３からの情報を基にチャネルが切り換えられたか否かを判断する（ステップＳＴ５）。
【００９５】
チャネルが変更された場合、即ち、視聴者がチャネルＡと異なるチャネルＸに変更した場合（ステップＳＴ５のＹｅｓ）、制御部２８は標準視聴状態（Ｓ１）から捜索状態（Ｓ２）へ移行したと判断する。同時に制御部２８は、捜索状態（Ｓ２）に移行した時点からの経過時間Ｔの計測を開始する。
【００９６】
なお、チャネルＡと異なるチャネルＸの受信信号を、第２の放送チャネルデータという。
【００９７】
捜索状態（Ｓ２）の開始は、視聴者が特定のチャネルＡから他のチャネルＸに変更して所望のチャネルを捜す行為、即ちザッピングを開始したことを意味する。
【００９８】
捜索状態（Ｓ２）、即ちザッピングが開始されると、制御部２８はＴｕ．１に対して先に登録したチャネルＡを選択するように制御する。さらに、記憶部２６に対して記憶開始（録画開始）を指示する。
【００９９】
一方、制御部２８は、Ｔｕ．２に対しては変更したチャネルＸを選択するように指示し、切換部２４に対してもチャネルＸの受信信号を出力するように指示する（ステップＳＴ６）。
【０１００】
この結果、視聴者は変更したチャネルＸの番組の内容を視聴して所望の番組か否かを判断することができる。併せて、視聴者が元々視聴していた特定のチャネルＡはチャネルを変更した時点から記憶部２６に記憶される。
【０１０１】
制御部２８は、捜索状態（Ｓ２）に移行した後、チャネルが変更された後の経過時間Ｔと、予め定められた所定時間Ｔ０とを比較し、経過時間Ｔが所定時間Ｔ０を超えたか否かを判断する（ステップＳＴ７）。
【０１０２】
所定時間Ｔ０は、視聴者が変更したチャネルを視聴して所望の番組か否かを判断するのに十分な時間として予め設定しておくものである。例えばＴ０が５分と設定されている場合において、変更したチャネルを視聴者が５分を超えて視聴したときにはその変更後のチャネルを継続して視聴する意志決定を視聴者がしたものとみなして捜索状態（Ｓ２）を終了させるものである。
【０１０３】
所定時間Ｔ０は、例えば指定部３を用いて予め視聴者が放送受信装置１に設定できる形態が好ましい。
【０１０４】
経過時間Ｔが所定時間Ｔ０を超えた場合、制御部２８は捜索状態（Ｓ２）から標準視聴状態（Ｓ１）へ強制的に移行させる。即ち、記憶部２６への記憶を停止した後に「ザッピングモード」を強制的に解除する（ステップＳＴ８）。
【０１０５】
制御部２８は、視聴者によるチャネルＸのその後の変更を継続的に監視し、チャネルＸが元の特定のチャネルＡに戻ったか否かを判断する（ステップＳＴ９、１０）。
【０１０６】
視聴者は、所望のチャネルを捜して次々とチャネルを変更する場合もある。この場合においても、チャネルが変更される毎にチャネル変更後の経過時間Ｔを計測し、この経過時間Ｔと所定時間Ｔ０を比較判断して捜索状態（Ｓ２）が継続しているのか終了したかを判断する（ステップＳＴ７，８）。
【０１０７】
制御部２８は、経過時間Ｔが所定時間Ｔ０よりも短い場合に（ステップＳＴ７のＮｏ）視聴者がもとの特定のチャネルＡに戻したときには、捜索状態（Ｓ２）から再視聴状態（Ｓ３）に移行したものと識別する（ステップＳＴ１０）。
【０１０８】
制御部２８において再視聴状態（Ｓ３）が識別されると、制御部２８は、特定のチャネルＡのタイムシフト再生を開始する（ステップＳＴ１１）。
【０１０９】
タイムシフト再生では、Ｔｕ．１は、捜索状態（Ｓ２）と変わらず特定のチャネルＡを継続して選択しており、放送中のチャネルＡの受信信号が記憶部２６に連続して記憶される。
【０１１０】
一方、記憶部２６は、制御部２８からのタイムシフト再生の制御によって既に記憶されているチャネルＡの番組の記憶データの頭の部分から読み出しを開始する。記憶部２６から読み出された再生信号Ａ’は、放送中のチャネルＡの受信信号とは時間差ΔＴをもった信号となっている。
【０１１１】
この時間差ΔＴは、放送受信装置１の内部状態が捜索状態（Ｓ２）にあった時間の長さに相当する。ザッピング期間ΔＴということもできる。ザッピング期間ΔＴの期間中、視聴者は、もの特定のチャネルＡから他のひとつ或いは複数の他のチャネルを視聴し所望の番組を捜していたことになる。
【０１１２】
従来の放送受信装置にあっては、視聴者が所望の番組が無かったと判断し元の特定のチャネルＡに戻した場合、ΔＴの視聴空白期間が生じていた。従って視聴者は、チャネルＡの視聴空白期間ΔＴを不可避なのものとして受容せざるを得なかった。
【０１１３】
本発明に係る放送受信装置１によれば、Ｔｕ．２で他のチャネルをザッピングしている間でも、Ｔｕ．１で元のチャネルＡを継続的に受信しかつ記憶部２６に記憶しているため、ザッピングを中止してもとのチャネルＡに戻した場合でも、ザッピング期間ΔＴのチャネルＡの受信信号が再生できるため、視聴空白期間が生じることがない。
【０１１４】
また、放送受信装置１によれば、視聴者による操作は「ザッピングモード」の指定のみ（例えば指定部３に設けられた「ザッピングモード」用ボタンを一回押下する。）である。「ザッピングモード」を指定した以降は、制御部２８が通常のチャネル選択の操作情報に基づいて自動的に放送受信装置１の内部状態を識別し、その識別結果に基づいて自動的にＴｕ．１のチャネルの選択、記憶部２６への記憶開始、タイムシフト再生ための記憶部２６の制御を行う。このため視聴者の操作負担は少なく、極めて簡便な操作によって、ザッピング空白期間が生じることのない放送受信装置１および放送受信方法を提供することができる。
【０１１５】
再視聴状態（Ｓ３）において、視聴者が指定部３の操作によって「ザッピングモード」を解除すると（ステップＳＴ１２）、制御部２８は再視聴状態（Ｓ３）が終了したと識別し、制御部２８は、記憶部２６の記憶を停止する。そして内部状態は、再視聴状態（Ｓ３）から標準視聴状態（Ｓ１）に移行する。
【０１１６】
「ザッピングモード」の解除は、例えば指定部３に設けられた「ザッピングモード」用ボタンを再度押下することによって実施される。
【０１１７】
なお、指定部３からの「ザッピングモード」の解除は、記憶部２６に対する記憶の停止の指定と捉えることもできる。
【０１１８】
また、視聴者がチャネルＡから他のチャネルに変更した場合にもチャネルＡの継続視聴を放棄したとみなして「ザッピングモード」を強制的に解除させる形態としてもよい（ステップＳＴ１４、１５）。
【０１１９】
（５）放送受信装置１の他の実施形態
図４は、放送受信装置１の第２の実施形態に係る処理の流れを示したフローチャートである。
【０１２０】
第１の実施形態と第２の実施形態との相違点は、捜索状態（Ｓ２）におけるステップＳＴ７の判断方法にある。第１の実施形態では、視聴者がチャネルを変更した後の経過時間Ｔが所定時間Ｔ０を超えた場合に記憶部２６の記憶を停止し、強制的に「ザッピングモード」を解除して標準視聴状態（Ｓ１）に移行させるものとしていた。
【０１２１】
これに対して、第２の実施形態では、捜索状態（Ｓ２）において視聴者が指定部３の操作によって「ザッピングモード」を解除した場合に（ステップＳＴ７Ａ）、記憶部２６の記憶を停止して標準視聴状態（Ｓ１）に移行させる形態としている。
【０１２２】
第２の実施形態においては、第１の実施形態と同様の効果が得られる他、ザッピング中に所望の番組が見つかった場合には、所定時間Ｔ０の経過を待つことなく視聴者の操作によって記憶部２６の記憶を停止し標準視聴状態（Ｓ１）へ移行させることができるため、記憶部２６の記憶容量の節約が可能となる。
【０１２３】
図５は、放送受信装置１の第３の実施形態に係るシステム構成を示したものである。
【０１２４】
第３の実施形態では図５に示したように第１の受信部２３と記憶部２６の間に第１の切換部３０を設けた形態としている。第１の実施形態は、第１の受信部２３で選択した放送チャネルの受信信号のみが記憶部２６に記憶される形態である。これに対して第３の実施形態では、第２の受信部２５および第１の受信部２３で選択した放送チャネルのいずれかを第１の切換部３０で切り換えて記憶部２６に記憶可能な形態としている。
【０１２５】
また、第３の実施形態では、第２の切換部２４Ａは３つの入力から１つの入力を切り換えて出力可能な形態としている。即ち、第１および第２の受信部２３，２５で選択された放送チャネルの受信信号２３ａ、２５ａと記憶部２６で再生される再生信号２６ａの３つの信号の中から切り換えて１つの信号を映像音声出力部２７に出力する形態としている。
【０１２６】
第１の実施形態では、記憶部２６に対して記憶させることができるのは第１の受信部２３で選択した放送チャネルの番組のみであった。また第１の実施形態では、実時間で視聴できるのは第２の受信部２５で選択した放送チャネルの番組のみであった。
【０１２７】
これに対して、第３の実施形態では、第２の受信部２５と第１の受信部２３とを区別することなく取り扱うことができる構成としている。第２の受信部２５および第１の受信部２３の出力はいずれの出力であっても第１の切換部３０を介して記憶部２６に記憶可能である。また第２の受信部２５および第１の受信部２３の出力はいずれの出力であっても第２の切換部２４Ａを介して映像音声モニタ部８で実時間の視聴が可能である。
【０１２８】
従って第３の実施形態では、第１の実施形態と同様の効果が得られる他、第２の受信部２５と第１の受信部２３とを区別することなく取り扱うことができるため、より柔軟性の高い制御が可能となる。例えば特定のチャネルＡと他のチャネルＸを同時に記憶部２６に記憶させることも可能となる。
【０１２９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、第１、第３の実施形態に係るシステム構成に映像音声モニタ部８を含めたシステム構成としたものでもよい。また第３のシステム構成に対して、第２の実施形態である処理の流れ（図４に示したフローチャート）を適用したものであってもよい。
【図面の簡単な説明】
【０１３０】
【図１】本発明に係る放送受信装置の一実施形態を示す外観図。
【図２】本発明に係る放送受信装置の第１の実施形態におけるシステム構成図。
【図３】本発明に係る放送受信装置の第１の実施形態におけるフローチャート。
【図４】本発明に係る放送受信装置の第２の実施形態におけるフローチャート。
【図５】本発明に係る放送受信装置の第３の実施形態におけるシステム構成図。
【符号の説明】
【０１３１】
１  放送受信装置
３  指定部
８  映像音声モニタ部
２１  受信部
２３  第１の受信部
２４  切換部
２４Ａ  第２の切換部
２５  第２の受信部
２６  記憶部
２７  映像音声出力部
２８  制御部
２９  アンテナ部
３０  第１の切換部
【図１】
2006019955.tif 000003
【図２】
2006019955.tif 000004
【図３】
2006019955.tif 000005
【図４】
2006019955.tif 000006
【図５】
2006019955.tif 000007